【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
原油精製施設で実施する方法であって：
複数の油精製プラントを備え、前記油精製プラントの各々が少なくとも１つの油精製プロセスを実行するように構成され、前記油精製プラントの各々が複数の相互に連結する油精製サブシステムを備え、前記複数の油精製サブシステム間には、それぞれの温度の複数のストリームが流れる、前記原油精製施設において、
前記複数の油精製プラントの、水素化分解プラント、スチーム改質水素プラント、及びディーゼル水素処理プラントそれぞれの、水素化分解プラントストリーム、低温シフト（ＬＴＳ）コンバータ生成物ストリーム及びディーゼル水素処理プラントストリームを、１つ以上の熱交換器へ流すステップであって、前記水素分解プラントストリームは、第１段の低温高圧分離器への供給ストリームと、第２段の低温高圧分離器への供給ストリームと、生成物ストリッパ塔頂ストリームと、ディーゼル生成物ストリームと、ケロシンポンプアラウンドストリームと、ケロシン生成物ストリームとの少なくとも１つを備える、ステップと；
前記複数の油精製プラントのうちの第１の油精製プラントからのストリームを、前記１つ以上の熱交換器へ流すステップであって、前記第１の油精製プラントは、前記水素化分解プラント、前記スチーム改質水素プラント及び前記ディーゼル水素処理プラントとは異なり、且つナフサ水素処理プラント、サワーウォータストリッパプラント、アミン再生プラント分離区画、硫黄回収プラント及びＣ２からＣ４の少なくとも１つを含むガス分離プラントストリームが流れるガス分離プラントを備え、前記１つ以上の熱交換器は、前記水素化分解プラントストリーム、前記低温シフト（ＬＴＳ）コンバータ生成物ストリーム及び前記ディーゼル水素処理プラントストリームのうちの１つ以上からの熱を、前記第１の油精製プラントからの前記ストリームへ伝達する、ステップと；
前記第１の油精製プラントでの油精製プロセスで、前記水素化分解プラントストリーム、前記低温シフト（ＬＴＳ）コンバータ生成物ストリーム、及び前記ディーゼル水素処理プラントストリームのうちの１つ以上によって加熱された前記第１の油精製プラントからの前記ストリームを利用するステップと；
を備える、
方法。
【請求項２】
前記１つ以上の熱交換器は、前記水素化分解プラントストリーム、前記低温シフト（ＬＴＳ）コンバータ生成物ストリーム及び前記ディーゼル水素処理プラントストリームのうちの１つからの熱を、前記第１の油精製プラントからの前記ストリームへ間接的に伝達する、
請求項１に記載の方法。
【請求項３】
前記１つ以上の熱交換器は、前記水素化分解プラントストリーム、前記低温シフト（ＬＴＳ）コンバータ生成物ストリーム及びディーゼル水素処理プラントストリームのうちの１つ以上を用いて、緩衝流体を介して熱を間接的に伝達する、
請求項２に記載の方法。
【請求項４】
前記緩衝流体は、油又は水のうち少なくとも一方を備える、
請求項３に記載の方法。
【請求項５】
前記１つ以上の熱交換器は、前記水素化分解プラントストリーム、前記低温シフト（ＬＴＳ）コンバータ生成物ストリーム及び前記ディーゼル水素処理プラントストリームのうちの１つ以上を用い、以下のステップ：
第１の熱交換器内で、前記水素化分解プラント内の水素化分解プラントディーゼル生成物ストリームを用いて第１の緩衝流体ストリームを加熱するステップと；
第２の熱交換器内で、前記水素化分解プラント内の前記第２段の低温高圧分離器への前記供給ストリームを用いて、第２の緩衝流体ストリームを加熱するステップと；
第３の熱交換器内で、前記水素化分解プラント内の前記第１段の低温高圧分離器への前記供給ストリームを用いて、第３の緩衝流体ストリームを加熱するステップと；
第４の熱交換器内で、前記水素化分解プラント内の前記生成物ストリッパ塔頂ストリームを用いて、第４の緩衝流体ストリームを加熱するステップと；
第５の熱交換器内で、前記水素化分解プラント内の前記ケロシンポンプアラウンドストリームを用いて、第５の緩衝流体ストリームを加熱するステップと；
第６の熱交換器内で、前記水素化分解プラント内の前記ケロシン生成物ストリームを用いて、第６の緩衝流体ストリームを加熱するステップと；
第７の熱交換器内で、前記スチーム改質水素プラント内の前記低温シフトコンバータ生成物ストリームを用いて、第７の緩衝流体ストリームを加熱するステップと；
第８の熱交換器内で、前記ディーゼル水素処理プラント内のディーゼルストリッパ塔頂ストリームを用いて、第８の緩衝流体ストリームを加熱するステップと；
第９の熱交換器内で、前記ディーゼル水素処理プラント内のディーゼルストリッパ塔底留分ストリームを用いて、第９の緩衝流体ストリームを加熱するステップと；
によって、前記緩衝流体を介して熱を間接的に伝達する、
請求項３に記載の方法。
【請求項６】
前記第１の熱交換器から出る前記加熱された第１の緩衝流体ストリームと、前記第２の熱交換器から出る前記加熱された第２の緩衝流体ストリームと、前記第３の熱交換器から出る前記加熱された第３の緩衝流体ストリームと、前記第４の熱交換器から出る前記加熱された第４の緩衝流体ストリームと、前記第５の熱交換器から出る前記加熱された第５の緩衝流体ストリームと、前記第６の熱交換器から出る前記加熱された第６の緩衝流体ストリームと、前記第７の熱交換器から出る前記加熱された第７の緩衝流体ストリームと、前記第８の熱交換器から出る前記加熱された第８の緩衝流体ストリームと、前記第９の熱交換器から出る前記加熱された第９の緩衝流体ストリームとを合流させ、合流した加熱緩衝流体を得るステップを更に備える、
請求項５に記載の方法。
【請求項７】
前記合流した加熱緩衝流体を前記ナフサ水素処理プラントへ流すステップと；
第１０の熱交換器内で、前記合流した加熱緩衝流体を用いて、前記ナフサ水素処理プラント内のナフサスプリッタ塔底ストリームを加熱するステップと；
前記合流した加熱緩衝流体を前記サワーウォータストリッパプラント内のサワーウォータストリッパ塔底ストリームへ流すステップと；
第１１の熱交換器内で、前記合流した加熱緩衝流体を用いて、前記サワーウォータストリッパプラント内のサワーウォータストリッパ塔底ストリームを加熱するステップと；
前記合流した加熱緩衝流体を前記硫黄回収プラントへ流すステップと；
第１２の熱交換器内で、前記合流した加熱緩衝流体を用いて、前記硫黄回収プラント内のアミン再生塔底ストリームを加熱するステップと；
前記合流した加熱緩衝流体を前記アミン再生プラント分離区画へ流すステップと；
第１３の熱交換器内で、前記合流した加熱緩衝流体を用いて、前記アミン再生プラント分離区画内の酸性ガス再生塔底ストリームを加熱するステップと；
前記合流した加熱緩衝流体を前記ガス分離プラントへ流すステップと；
第１４の熱交換器内で、前記合流した加熱緩衝流体を用いて、前記ガス分離プラント内のＣ３／Ｃ４スプリッタ塔底ストリームを加熱するステップと；
前記第１４の熱交換器内で、前記合流した加熱緩衝流体を用いて、脱エタン塔底ストリームを加熱するステップと；
を更に備える、
請求項６に記載の方法。
【請求項８】
前記第１の熱交換器、前記第２の熱交換器、前記第３の熱交換器、前記第４の熱交換器、前記第５の熱交換器、前記第６の熱交換器、前記第７の熱交換器、前記第８の熱交換器及び前記第９の熱交換器は互いに並列に流体的に連結する、
請求項７に記載の方法。
【請求項９】
前記第１０の熱交換器は、前記第１の熱交換器、前記第２の熱交換器、前記第３の熱交換器、前記第４の熱交換器、前記第５の熱交換器、前記第６の熱交換器、前記第７の熱交換器、前記第８の熱交換器及び前記第９の熱交換器の組み合わせと、直列に流体的に連結する、
請求項８に記載の方法。
【請求項１０】
前記第１０の熱交換器、前記第１１の熱交換器、前記第１２の熱交換器、前記第１３の熱交換器、前記第１４の熱交換器及び前記第１５の熱交換器は互いに直列に流体的に連結する、
請求項９に記載の方法。
【請求項１１】
前記ナフサ水素処理プラントからの前記合流した加熱緩衝流体は、前記サワーウォータストリッパプラントへ、次に前記硫黄回収プラントへ、次に前記アミン再生プラント分離区画へ、次にガス分離プラントへ流れる、
請求項９に記載の方法。
【請求項１２】
前記複数のプラント内の前記複数のストリームの第１のサブセットを、前記水素化分解プラントストリーム、前記水素処理プラントストリーム及び前記低温シフト（ＬＴＳ）コンバータ生成物ストリームのうちの１つ以上を用いて直接的に加熱するステップと；
前記複数のプラント内の前記複数のストリームの第２のサブセットを、前記水素化分解プラントストリーム、前記水素処理プラントストリーム及び前記低温シフト（ＬＴＳ）コンバータ生成物ストリームのうちの１つ以上を用いて間接的に加熱するステップと；
を更に備える、
請求項１に記載の方法。
【請求項１３】
前記複数のストリームの前記第２のサブセットを間接的に加熱する前記ステップは、前記複数のストリームの前記第２のサブセットを、前記水素化分解プラントストリーム、前記水素処理プラントストリーム及び前記低温シフト（ＬＴＳ）コンバータ生成物ストリームのうちの１つ以上を用いて、緩衝流体を介して加熱するステップを備える、
請求項１２に記載の方法。
【請求項１４】
前記緩衝流体は油又は水のうち少なくとも一方を備える、
請求項１３に記載の方法。
【請求項１５】
前記第２のサブセットは、サワーウォータストリッパプラントストリーム、硫黄回収プラントストリーム、酸性ガス除去ストリーム、及び前記ガス分離プラントストリームを備え、
前記緩衝流体を用いて前記第２のサブセットを間接的に加熱する前記ステップは：
第１の熱交換器内で、前記水素化分解プラント内の前記水素化分解プラントディーゼル生成物ストリームを用いて、第１の緩衝流体ストリームを加熱するステップと；
第２の熱交換器内で、前記水素化分解プラント内の前記第２段の低温高圧分離器への前記供給ストリームを用いて、第２の緩衝流体ストリームを加熱するステップと；
第３の熱交換器内で、前記水素化分解プラント内の前記第１段の低温高圧分離器への前記供給ストリームを用いて、第３の緩衝流体ストリームを加熱するステップと；
第４の熱交換器内で、前記水素化分解プラント内の前記生成物ストリッパ塔頂ストリームを用いて、第４の緩衝流体ストリームを加熱するステップと；
第５の熱交換器内で、前記水素化分解プラント内の前記ケロシンポンプアラウンドストリームを用いて、第５の緩衝流体ストリームを加熱するステップと；
第６の熱交換器内で、前記水素化分解プラント内の前記ケロシン生成物ストリームを用いて、第６の緩衝流体ストリームを加熱するステップと；
第７の熱交換器内で、前記スチーム改質水素プラント内の前記低温シフトコンバータ生成物ストリームを用いて、第７の緩衝流体ストリームを加熱するステップと；
第８の熱交換器内で、前記ディーゼル水素処理プラント内のディーゼルストリッパ塔頂ストリームを用いて、第８の緩衝流体ストリームを加熱するステップと；
第９の熱交換器内で、前記ディーゼル水素処理プラント内のディーゼルストリッパ塔底留分ストリームを用いて、第９の緩衝流体ストリームを加熱するステップと；
を備える、
請求項１３に記載の方法。
【請求項１６】
前記第１の熱交換器から出た前記加熱された第１の緩衝流体ストリームと、前記第２の熱交換器から出た前記加熱された第２の緩衝流体ストリームと、前記第３の熱交換器から出た前記加熱された第３の緩衝流体ストリームと、前記第４の熱交換器から出た前記加熱された第４の緩衝流体ストリームと、前記第５の熱交換器から出た前記加熱された第５の緩衝流体ストリームと、前記第６の熱交換器から出た前記加熱された第６の緩衝流体ストリームと、前記第７の熱交換器から出た前記加熱された第７の緩衝流体ストリームと、前記第８の熱交換器から出た前記加熱された第８の緩衝流体ストリームと、前記第９の熱交換器から出た前記加熱された第９の緩衝流体ストリームとを合流させ、合流した加熱緩衝流体ストリームを得るステップを更に備える、
請求項１５に記載の方法。
【請求項１７】
前記合流した加熱緩衝流体ストリームを前記サワーウォータストリッパプラントへ流すステップと；
第１０の熱交換器内で、前記合流した加熱緩衝流体を用いて、前記サワーウォータストリッパプラント内のサワーウォータストリッパストリームを加熱するステップと；
前記合流した加熱緩衝流体を前記硫黄回収プラントへ流すステップと；
第１１の熱交換器内で、前記合流した加熱緩衝流体を用いて、前記硫黄回収プラント内の硫黄回収プラントアミン再生塔底ストリームを加熱するステップと；
前記合流した加熱緩衝流体を前記アミン再生プラント分離区画へ流すステップと；
第１２の熱交換器内で、前記合流した加熱緩衝流体を用いて、前記アミン再生プラント分離区画内の酸性ガス再生塔底ストリームを加熱するステップと；
を更に備える、
請求項１６に記載の方法。
【請求項１８】
前記合流した加熱緩衝流体は、前記サワーウォータストリッパプラントへ流れ、次に前記硫黄回収プラントへ、次に前記アミン再生プラント分離区画へ流れる、
請求項１７に記載の方法。
【請求項１９】
前記第１のサブセットは、前記ナフサ水素処理プラント内のナフサスプリッタ塔底ストリームを備え、前記ナフサスプリッタ塔底ストリームは、前記水素化分解プラントストリーム及び前記水素処理プラントストリームを用い、以下のステップ：
熱交換器Ａ内で、ディーゼル水素処理プラントストリームを用い、前記ディーゼル水素処理プラント内のディーゼルストリッパ塔頂ストリームを用いて、前記ナフサスプリッタ塔底ストリームの第１の分岐を加熱するステップと；
熱交換器Ｂ内で、前記ディーゼル水素処理プラントを用い、前記ディーゼル水素処理プラント内のディーゼルストリッパ塔底留分ストリームを用いて、前記ナフサスプリッタ塔底ストリームの第２の分岐を加熱するステップと；
熱交換器Ｃ内で、水素化分解プラントストリームを用い、前記水素化分解プラント内の生成物ストリッパ塔頂ストリームを用いて、前記ナフサスプリッタ塔底ストリームの第３の分岐を加熱するステップと；
熱交換器Ｄ内で、前記水素化分解プラントストリームを用い、前記水素化分解プラント内のディーゼル生成物ストリームを用いて、前記ナフサスプリッタ塔底ストリームの第４の分岐を加熱するステップと；
熱交換器Ｅ内で、前記水素化分解プラントストリームを用い、前記水素化分解プラント内のケロシン生成物ストリームを用いて、前記ナフサスプリッタ塔底ストリームの第５の分岐を加熱するステップと；
熱交換器Ｆ内で、前記水素化分解プラントストリームを用い、前記水素化分解プラントストリーム内のケロシンポンプアラウンドストリームを用いて前記ナフサスプリッタ塔底ストリームの第６の分岐を加熱するステップと；
前記加熱された第１の分岐、前記加熱された第２の分岐、前記加熱された第３の分岐、前記加熱された第４の分岐、前記加熱された第５の分岐、前記加熱された第６の分岐を合流させ、合流し加熱されたナフサスプリッタ塔底ストリームを得るステップと；
前記加熱されたナフサスプリッタ塔底ストリームを、前記ナフサ水素処理プラント内の前記ナフサスプリッタ塔底へ流すステップと；
によって直接的に加熱される、
請求項１５に記載の方法。
【請求項２０】
前記熱交換器Ａ、前記熱交換器Ｂ、前記熱交換器Ｃ、前記熱交換器Ｄ、前記熱交換器Ｅ及び前記熱交換器Ｆは、互いに並列に流体的に連結される、
請求項１９に記載の方法。
【請求項２１】
前記第１の熱交換器は前記熱交換器Ｄと直列に流体的に連結され、前記第４の熱交換器は前記熱交換器Ｃと直列に流体的に連結され、前記第５の熱交換器は前記熱交換器Ｆと直列に流体的に連結され、前記第６の熱交換器は前記熱交換器Ｅと直列に流体的に連結され、前記第８の熱交換器は前記熱交換器Ａと直列に流体的に連結され、前記第９の熱交換器は前記熱交換器Ｂと直列に流体的に連結される、
請求項１９に記載の方法。
【請求項２２】
前記第１の熱交換器、前記第２の熱交換器、前記第３の熱交換器、前記第４の熱交換器、前記第５の熱交換器、前記第６の熱交換器、前記第７の熱交換器、前記第８の熱交換器及び前記第９の熱交換器は互いに並列に流体的に連結される、
請求項１９に記載の方法。
【請求項２３】
前記熱交換器Ｅ内で前記ナフサスプリッタ塔底ストリームの前記第５の分岐を加熱するために用いられる前記水素化分解プラントストリームは、前記ケロシン生成物ストリームを備え、
前記熱交換器Ｅから出る前記ケロシン生成物ストリームを、前記ガス分離プラントへ流すステップと；
第１３の熱交換器内で、前記熱交換器Ｅから出る前記ケロシン生成物ストリームを用いて、前記ガス分離プラント内のＣ３／Ｃ４スプリッタ塔底ストリームの第１分岐を加熱するステップと；
前記熱交換器Ｂから出る前記ディーゼル水素処理プラントストリームを、前記ガス分離プラントへ流すステップと；
第１４の熱交換器内で、前記熱交換器Ｂから出る前記ディーゼル水素処理プラントストリームを用いて、前記ガス分離プラント内の前記Ｃ３／Ｃ４スプリッタ塔底ストリームの第２の分岐を加熱するステップと；
前記第７の熱交換器から出る前記スチーム改質水素プラント内の前記低温シフトコンバータ生成物ストリームを、前記ガス分離プラントへ流すステップと；
第１５の熱交換器内で、前記第７の熱交換器から出る前記スチーム改質水素プラント内の前記低温シフトコンバータ生成物ストリームを用いて、脱エタン塔底ストリームを加熱するステップと；
を更に備える、
請求項２２に記載の方法。
【請求項２４】
前記第１０の熱交換器は、前記第１の熱交換器、前記第２の熱交換器、前記第３の熱交換器、前記第４の熱交換器、前記第５の熱交換器、前記第６の熱交換器、前記第７の熱交換器、前記第８の熱交換器及び前記第９の熱交換器と直列に流体的に連結される、
請求項２３に記載の方法。
【請求項２５】
前記第１０の熱交換器、前記第１１の熱交換器、前記第１２の熱交換器、前記第１３の熱交換器及び前記第１４の熱交換器は互いに直列に流体的に連結される、
請求項２４に記載の方法。
【請求項２６】
前記第７の熱交換器及び前記第１５の熱交換器は互いに直列に流体的に連結される、
請求項２５に記載の方法。
【手続補正２】
【補正対象書類名】明細書
【補正対象項目名】００９３
【補正方法】変更
【補正の内容】
【００９３】
以上、このように本主題の特定の実施について説明した。その他の実施は、以下に続く特許請求項の範囲に含まれる。
以下、本発明の実施の態様の例を列挙する。
［第１の局面］
原油精製施設で実施する方法であって：
複数の油精製プラントを備え、前記油精製プラントの各々が少なくとも１つの油精製プロセスを実行するように構成され、前記油精製プラントの各々が複数の相互に連結する油精製サブシステムを備え、前記複数の油精製サブシステム間には、それぞれの温度の複数のストリームが流れる、前記原油精製施設において、
前記複数の油精製プラントの、水素化分解プラント、水素プラント、及びディーゼル水素処理プラントそれぞれの、水素化分解プラントストリーム、低温シフト（ＬＴＳ）コンバータ生成物ストリーム、及びディーゼル水素処理プラントストリームを、１つ以上の熱交換器へ流すステップと；
前記複数の油精製プラントのうちの第１の油精製プラントからのストリームを、前記１つ以上の熱交換器へ流すステップであって、前記第１の油精製プラントは、前記水素化分解プラント、前記水素プラント、及び前記ディーゼル水素処理プラントとは異なり、前記１つ以上の熱交換器は、前記水素化分解プラントストリーム、前記低温シフト（ＬＴＳ）コンバータ生成物ストリーム、及び前記ディーゼル水素処理プラントストリームのうちの１つ以上からの熱を、前記第１の油精製プラントからの前記ストリームへ伝達する、前記複数の油精製プラントのうちの第１の油精製プラントからのストリームを、前記１つ以上の熱交換器へ流すステップと；
前記第１の油精製プラントでの石油精製プロセスで、前記水素化分解プラントストリーム、前記低温シフト（ＬＴＳ）コンバータ生成物ストリーム、及び前記ディーゼル水素処理プラントストリームのうちの１つ以上によって加熱された前記第１の油精製プラントからの前記ストリームを利用するステップと；
を備える、
方法。
［第２の局面］
前記第１の油精製プラントは、ナフサ水素処理プラント、サワーウォータストリッパプラント、アミン再生プラント分離区画、硫黄回収プラント、及びガス分離プラントを備える、
第１の局面の方法。
［第３の局面］
前記１つ以上の熱交換器は、前記水素化分解プラントストリーム、前記低温シフト（ＬＴＳ）コンバータ生成物ストリーム、及び前記ディーゼル水素処理プラントストリームのうちの１つからの熱を、前記第１の油精製プラントからの前記ストリームへ間接的に伝達する、
第１の局面の方法。
［第４の局面］
前記１つ以上の熱交換器は、前記水素化分解プラントストリーム、前記低温シフト（ＬＴＳ）コンバータ生成物ストリーム、及びディーゼル水素処理プラントストリームのうちの１つ以上を用いて、緩衝流体を介して熱を間接的に伝達する、
第３の局面の方法。
［第５の局面］
前記緩衝流体は、油又は水のうち少なくとも一方を備える、
第４の局面の方法。
［第６の局面］
前記１つ以上の熱交換器は、前記水素化分解プラントストリーム、前記低温シフト（ＬＴＳ）コンバータ生成物ストリーム、及び前記ディーゼル水素処理プラントストリームのうちの１つ以上を用い、以下のステップ：
第１の熱交換器内で、水素化分解プラント内の水素化分解プラントディーゼル生成物ストリームを用いて第１の緩衝流体ストリームを加熱するステップと；
第２の熱交換器内で、前記水素化分解プラント内の第２段の低温高圧分離器への供給ストリームを用いて、第２の緩衝流体ストリームを加熱するステップと；
第３の熱交換器内で、前記水素化分解プラント内の第１段の低温高圧分離器への供給ストリームを用いて、第３の緩衝流体ストリームを加熱するステップと；
第４の熱交換器内で、前記水素化分解プラント内の生成物ストリッパ塔頂ストリームを用いて、第４の緩衝流体ストリームを加熱するステップと；
第５の熱交換器内で、前記水素化分解プラント内のケロシンポンプアラウンドストリームを用いて、第５の緩衝流体ストリームを加熱するステップと；
第６の熱交換器内で、前記水素化分解プラント内のケロシン生成物ストリームを用いて、第６の緩衝流体ストリームを加熱するステップと；
第７の熱交換器内で、前記水素プラント内の低温シフトコンバータ生成物ストリームを用いて、第７の緩衝流体ストリームを加熱するステップと；
第８の熱交換器内で、前記ディーゼル水素処理プラント内のディーゼルストリッパ塔頂ストリームを用いて、第８の緩衝流体ストリームを加熱するステップと；
第９の熱交換器内で、前記ディーゼル水素処理プラント内のディーゼルストリッパ塔底留分ストリームを用いて、第９の緩衝流体ストリームを加熱するステップと；
によって、前記緩衝流体を介して熱を間接的に伝達する、
第４の局面の方法。
［第７の局面］
前記第１の熱交換器から出る前記加熱された第１の緩衝流体ストリームと、前記第２の熱交換器から出る前記加熱された第２の緩衝流体ストリームと、前記第３の熱交換器から出る前記加熱された第３の緩衝流体ストリームと、前記第４の熱交換器から出る前記加熱された第４の緩衝流体ストリームと、前記第５の熱交換器から出る前記加熱された第５の緩衝流体ストリームと、前記第６の熱交換器から出る前記加熱された第６の緩衝流体ストリームと、前記第７の熱交換器から出る前記加熱された第７の緩衝流体ストリームと、前記第８の熱交換器から出る前記加熱された第８の緩衝流体ストリームと、前記第９の熱交換器から出る前記加熱された第９の緩衝流体ストリームとを合流させ、合流した加熱緩衝流体を得るステップ；
を更に備える、
第６の局面の方法。
［第８の局面］
前記合流した加熱緩衝流体を前記ナフサ水素処理プラントへ流すステップと；
第１０の熱交換器内で、前記合流した加熱緩衝流体を用いて、前記ナフサ水素処理プラント内のナフサスプリッタ塔底ストリームを加熱するステップと；
前記合流した加熱緩衝流体を前記サワーウォータストリッパプラント内のサワーウォータストリッパ塔底ストリームへ流すステップと；
第１１の熱交換器内で、前記合流した加熱緩衝流体を用いて、前記サワーウォータストリッパプラント内のサワーウォータストリッパ塔底ストリームを加熱するステップと；
前記合流した加熱緩衝流体を前記硫黄回収プラントへ流すステップと；
第１２の熱交換器内で、前記合流した加熱緩衝流体を用いて、前記硫黄回収プラント内のアミン再生塔底ストリームを加熱するステップと；
前記合流した加熱緩衝流体を前記アミン再生プラント分離区画へ流すステップと；
第１３の熱交換器内で、前記合流した加熱緩衝流体を用いて、前記アミン再生プラントの分離区画内の酸性ガス再生塔底ストリームを加熱するステップと；
前記合流した加熱緩衝流体を前記ガス分離プラントへ流すステップと；
第１４の熱交換器内で、前記合流した加熱緩衝流体を用いて、前記ガス分離プラント内のＣ３／Ｃ４スプリッタ塔底ストリームを加熱するステップと；
前記第１４の熱交換器内で、前記合流した加熱緩衝流体を用いて、脱エタン塔底ストリームを加熱するステップと；
を更に備える、
第７の局面の方法。
［第９の局面］
前記第１の熱交換器、前記第２の熱交換器、前記第３の熱交換器、前記第４の熱交換器、前記第５の熱交換器、前記第６の熱交換器、前記第７の熱交換器、前記第８の熱交換器、及び前記第９の熱交換器は互いに並列に流体的に連結する、
第８の局面の方法。
［第１０の局面］
前記第１０の熱交換器は、前記第１の熱交換器、前記第２の熱交換器、前記第３の熱交換器、前記第４の熱交換器、前記第５の熱交換器、前記第６の熱交換器、前記第７の熱交換器、前記第８の熱交換器、及び前記第９の熱交換器の組み合わせと、直列に流体的に連結する、
第９の局面の方法。
［第１１の局面］
前記第１０の熱交換器、前記第１１の熱交換器、前記第１２の熱交換器、前記第１３の熱交換器、前記第１４の熱交換器、及び前記第１５の熱交換器は互いに直列に流体的に連結する、
第１０の局面の方法。
［第１２の局面］
前記ナフサ水素処理プラントからの前記合流した加熱緩衝流体は、前記サワーウォータストリッパプラントへ、次に前記硫黄回収プラントへ、次に前記アミン再生プラントの分離区画へ、次にガス分離プラントへ流れる、
第１０の局面の方法。
［第１３の局面］
前記複数のプラント内の前記複数のストリームの第１のサブセットを、前記水素化分解プラントストリーム、前記水素処理プラントストリーム、及び前記低温シフト（ＬＴＳ）コンバータ生成物ストリームのうちの１つ以上を用いて直接的に加熱するステップと；
前記複数のプラント内の前記複数のストリームの第２のサブセットを、前記水素化分解プラントストリーム、前記水素処理プラントストリーム、及び前記低温シフト（ＬＴＳ）コンバータ生成物ストリームのうちの１つ以上を用いて間接的に加熱するステップと；
を更に備える、
第１の局面の方法。
［第１４の局面］
前記複数のストリームの前記第２のサブセットを間接的に加熱する前記ステップは、前記複数のストリームの前記第２のサブセットを、前記水素化分解プラントストリーム、前記水素処理プラントストリーム、及び前記低温シフト（ＬＴＳ）コンバータ生成物ストリームのうちの１つ以上を用いて、緩衝流体を介して加熱するステップ；
を備える、
第１３の局面の方法。
［第１５の局面］
前記緩衝流体は油又は水のうち少なくとも一方を備える、
第１４の局面の方法。
［第１６の局面］
前記第２のサブセットは、サワーウォータストリッパプラントストリーム、硫黄回収プラントストリーム、酸性ガス除去ストリーム、及びガス分離プラントストリームを備え、
前記緩衝流体を用いて前記第２のサブセットを間接的に加熱する前記ステップは：
第１の熱交換器内で、前記水素化分解プラント内の水素化分解プラントディーゼル生成物ストリームを用いて、第１の緩衝流体ストリームを加熱するステップと；
第２の熱交換器内で、前記水素化分解プラント内の第２段の低温高圧分離器への供給ストリームを用いて、第２の緩衝流体ストリームを加熱するステップと；
第３の熱交換器内で、前記水素化分解プラント内の第１段の低温高圧分離器への供給ストリームを用いて、第３の緩衝流体ストリームを加熱するステップと；
第４の熱交換器内で、前記水素化分解プラント内の生成物ストリッパ塔頂ストリームを用いて、第４の緩衝流体ストリームを加熱するステップと；
第５の熱交換器内で、前記水素化分解プラント内のケロシンポンプアラウンドストリームを用いて、第５の緩衝流体ストリームを加熱するステップと；
第６の熱交換器内で、前記水素化分解プラント内のケロシン生成物ストリームを用いて、第６の緩衝流体ストリームを加熱するステップと；
第７の熱交換器内で、前記水素プラント内の低温シフトコンバータ生成物ストリームを用いて、第７の緩衝流体ストリームを加熱するステップと；
第８の熱交換器内で、前記ディーゼル水素処理プラント内のディーゼルストリッパ塔頂ストリームを用いて、第８の緩衝流体ストリームを加熱するステップと；
第９の熱交換器内で、前記ディーゼル水素処理プラント内のディーゼルストリッパ塔底留分ストリームを用いて、第９の緩衝流体ストリームを加熱するステップと；
を備える、
第１４の局面の方法。
［第１７の局面］
前記第１の熱交換器から出た前記加熱された第１の緩衝流体ストリームと、前記第２の熱交換器から出た前記加熱された第２の緩衝流体ストリームと、前記第３の熱交換器から出た前記加熱された第３の緩衝流体ストリームと、前記第４の熱交換器から出た前記加熱された第４の緩衝流体ストリームと、前記第５の熱交換器から出た前記加熱された第５の緩衝流体ストリームと、前記第６の熱交換器から出た前記加熱された第６の緩衝流体ストリームと、前記第７の熱交換器から出た前記加熱された第７の緩衝流体ストリームと、前記第８の熱交換器から出た前記加熱された第８の緩衝流体ストリームと、前記第９の熱交換器から出た前記加熱された第９の緩衝流体ストリームとを合流させ、合流した加熱緩衝流体ストリームを得るステップ；
を更に備える、
第１６の局面の方法。
［第１８の局面］
前記合流した加熱緩衝流体ストリームを前記サワーウォータストリッパプラントへ流すステップと；
第１０の熱交換器内で、前記合流した加熱緩衝流体を用いて、サワーウォータストリッパプラント内のサワーウォータストリッパストリームを加熱するステップと；
前記合流した加熱緩衝流体を前記硫黄回収プラントへ流すステップと；
第１１の熱交換器内で、前記合流した加熱緩衝流体を用いて、硫黄回収プラント内の硫黄回収プラントアミン再生塔底ストリームを加熱するステップと；
前記合流した加熱緩衝流体を前記アミン再生プラントの分離区画へ流すステップと；
第１２の熱交換器内で、前記合流した加熱緩衝流体を用いて、前記アミン再生プラントの分離区画内の酸性ガス再生塔底ストリームを加熱するステップと；
を更に備える、
第１７の局面の方法。
［第１９の局面］
前記合流した加熱緩衝流体は、前記サワーウォータストリッパプラントへ流れ、次に前記硫黄回収プラントへ、次に前記アミン再生プラントの分離区画へ流れる、
第１８の局面の方法。
［第２０の局面］
前記第１のサブセットは、前記ナフサ水素処理プラント内のナフサスプリッタ塔底ストリームを備え、前記ナフサスプリッタ塔底ストリームは、前記水素化分解プラントストリーム及び前記水素処理プラントストリームを用い、以下のステップ：
熱交換器Ａ内で、ディーゼル水素処理プラントストリームを用い、前記ディーゼル水素処理プラント内のディーゼルストリッパ塔頂ストリームを用いて、前記ナフサスプリッタ塔底ストリームの第１の分岐を加熱するステップと；
熱交換器Ｂ内で、前記ディーゼル水素処理プラントを用い、前記ディーゼル水素処理プラント内のディーゼルストリッパ塔底留分ストリームを用いて、前記ナフサスプリッタ塔底ストリームの第２の分岐を加熱するステップと；
熱交換器Ｃ内で、水素化分解プラントストリームを用い、前記水素化分解プラント内の生成物ストリッパ塔頂ストリームを用いて、前記ナフサスプリッタ塔底ストリームの第３の分岐を加熱するステップと；
熱交換器Ｄ内で、前記水素化分解プラントストリームを用い、前記水素化分解プラント内のディーゼル生成物ストリームを用いて、前記ナフサスプリッタ塔底ストリームの第４の分岐を加熱するステップと；
熱交換器Ｅ内で、前記水素化分解プラントストリームを用い、前記水素化分解プラント内のケロシン生成物ストリームを用いて、前記ナフサスプリッタ塔底ストリームの第５の分岐を加熱するステップと；
熱交換器Ｆ内で、前記水素化分解プラントストリームを用い、前記水素化分解プラントストリーム内のケロシンポンプアラウンドストリームを用いて前記ナフサスプリッタ塔底ストリームの第６の分岐を加熱するステップと；
前記加熱された第１の分岐、前記加熱された第２の分岐、前記加熱された第３の分岐、前記加熱された第４の分岐、前記加熱された第５の分岐、前記加熱された第６の分岐を合流させ、合流し加熱されたナフサスプリッタ塔底ストリームを得るステップと；
前記加熱されたナフサスプリッタ塔底ストリームを、前記ナフサ水素処理プラント内の前記ナフサスプリッタ塔底へ流すステップと；
によって直接的に加熱される、
第１６の局面の方法。
［第２１の局面］
前記熱交換器Ａ、前記熱交換器Ｂ、前記熱交換器Ｃ、前記熱交換器Ｄ、前記熱交換器Ｅ、及び前記熱交換器Ｆは、互いに並列に流体的に連結される、
第２０の局面の方法。
［第２２の局面］
前記第１の熱交換器は前記熱交換器Ｄと直列に流体的に連結され、前記第４の熱交換器は前記熱交換器Ｃと直列に流体的に連結され、前記第５の熱交換器は前記熱交換器Ｆと直列に流体的に連結され、前記第６の熱交換器は前記熱交換器Ｅと直列に流体的に連結され、前記第８の熱交換器は前記熱交換器Ａと直列に流体的に連結され、前記第９の熱交換器は前記熱交換器Ｂと直列に流体的に連結される、
第２０の局面の方法。
［第２３の局面］
前記第１の熱交換器、前記第２の熱交換器、前記第３の熱交換器、前記第４の熱交換器、前記第５の熱交換器、前記第６の熱交換器、前記第７の熱交換器、前記第８の熱交換器、及び前記第９の熱交換器は互いに並列に流体的に連結される、
第２０の局面の方法。
［第２４の局面］
前記熱交換器Ｅ内で前記ナフサスプリッタ塔底ストリームの前記第５の分岐を加熱するために用いられる前記水素化分解プラントストリームは、ケロシン生成物ストリームを備え、
前記熱交換器Ｅから出る前記ケロシン生成物ストリームを、前記ガス分離プラントへ流すステップと；
第１３の熱交換器内で、前記熱交換器Ｅから出る前記ケロシン生成物ストリームを用いて、前記ガス分離プラント内のＣ３／Ｃ４スプリッタ塔底ストリームの第１分岐を加熱するステップと；
前記熱交換器Ｂから出る前記ディーゼル水素処理プラントストリームを、前記ガス分離プラントへ流すステップと；
第１４の熱交換器内で、前記熱交換器Ｂから出る前記ディーゼル水素処理プラントストリームを用いて、前記ガス分離プラント内の前記Ｃ３／Ｃ４スプリッタ塔底ストリームの第２の分岐を加熱するステップと；
前記第７の熱交換器から出る前記水素プラント内の前記低温シフトコンバータ生成物ストリームを、前記ガス分離プラントへ流すステップと；
第１５の熱交換器内で、前記第７の熱交換器から出る前記水素プラント内の前記低温シフトコンバータ生成物ストリームを用いて、脱エタン塔底ストリームを加熱するステップと；
を更に備える、
第２３の局面の方法。
［第２５の局面］
前記第１０の熱交換器は、前記第１の熱交換器、前記第２の熱交換器、前記第３の熱交換器、前記第４の熱交換器、前記第５の熱交換器、前記第６の熱交換器、前記第７の熱交換器、前記第８の熱交換器、及び前記第９の熱交換器と直列に流体的に連結される、
第２４の局面の方法。
［第２６の局面］
前記第１０の熱交換器、前記第１１の熱交換器、前記第１２の熱交換器、前記第１３の熱交換器、及び前記第１４の熱交換器は互いに直列に流体的に連結される、
第２５の局面の方法。
［第２７の局面］
前記第７の熱交換器と前記第１５の熱交換器は互いに直列に流体的に連結される、
第２６の局面の方法。
［第２８の局面］
原油精製施設で実施されるシステムであって、第１の局面の方法を実施するように構成される、
システム。
［第２９の局面］
前記システムは流量制御システムを備える、
第２８の局面のシステム。